(57)【要約】【課題】駆動ロールと従動ロールとの平行度を高めることができる技術を提供する。【解決手段】搬送ロール対７１０は、永久磁石により形成された駆動ロール７１１と、駆動ロール７１１が回転するのに伴って磁力により回転する、永久磁石により形成された従動ロール７１２とを備え、駆動ロール７１１および従動ロール７１２は、永久磁石のＮ極とＳ極のそれぞれが駆動ロール７１１および従動ロール７１２の軸方向に延びて、かつ駆動ロール７１１および従動ロール７１２の円周上に一定の周長で着磁されている。【選択図】図２
2010208742.tif 000002
【特許請求の範囲】
【請求項１】
永久磁石により形成された駆動ロールと、
前記駆動ロールが回転するのに伴って磁力により回転する、永久磁石により形成された従動ロールとを備え、
前記駆動ロールおよび前記従動ロールは、永久磁石のＮ極とＳ極のそれぞれが前記駆動ロールおよび前記従動ロールの軸方向に延びて、かつ前記駆動ロールおよび前記従動ロールの円周上に一定の周長で着磁されていることを特徴とするロール機構。
【請求項２】
前記駆動ロールまたは前記従動ロールの両端に、前記駆動ロールまたは前記従動ロールを支持する支持部と摺動するキャップが取り付けられていることを特徴とする請求項１に記載のロール機構。  
【請求項３】
請求項１または２に記載のロール機構を備え、
前記駆動ロールおよび前記従動ロールは、少なくともシート材を搬送する範囲で着磁されていることを特徴とする搬送装置。
【請求項４】
請求項１または２に記載のロール機構を備えることを特徴とする駆動装置。
【発明の詳細な説明】
【技術分野】
【０００１】
本発明は、ロール機構、搬送装置および駆動装置に関する。
【背景技術】
【０００２】
従来のロール機構を用いた装置としては、例えば特許文献１〜５に開示されたものがある。特許文献１に記載の駆動装置は、第１磁気車と第２磁気車とを備え、この両磁気車を直角もしくは斜めに交差させて互いの周面を非接触状態にて近接させ、第１磁気車の周面に沿って永久磁石のＮ極帯とＳ極帯とを交互に設けると共に、第２磁気車の周面に永久磁石のＮ極帯とＳ極帯とを螺旋状に設けたものである。
【０００３】
特許文献２に記載の画像形成装置では、駆動磁気車の円周錐面に、内蔵されている永久磁石により発生するＮ極帯とＳ極帯とが積層鉄心を介して凹凸形状に磁束分布が形成されるようにし、各従動磁気車の外周錐面にも同様に凹凸形状に磁束分布が形成されている。従動磁気車は駆動磁気車に対して軸を直角に交差し、互いの周面を非接触状態にて近接させた状態で支持されている。
【０００４】
特許文献３に記載の搬送装置では、永久磁石を用いて金属ピンチロ−ラとゴム被覆ロ−ラを着磁させてＮ極帯とＳ極帯を軸方向に交互に設け、金属ピンチロ−ラとゴム被覆ロ−ラとの間に働く磁気吸引力によって接触圧力を得て、被印字物を挟み込み、ゴム被覆ロ−ラを被印字物が送り込まれる向きに回転させることによって搬送するようにしている。
【０００５】
特許文献４に記載の搬送ローラ装置では、従動ロ−ラを磁石でつくるとともに、その外周をゴムで被い、従動ロ−ラの軸を一対の支持ア−ムに設けた長穴よりなる軸受穴に挿入して支持している。一方、駆動ロ−ラを磁性部材でつくり、これに従動ロ−ラを磁力で吸着させている。そして、駆動ロ−ラを回転し、従動ロ−ラと駆動ロ−ラとの間でゴムを介してシ−トを挟んで搬送している。
【０００６】
特許文献５に記載の画像形成装置では、用紙を搬送するための搬送経路に配する搬送ローラ対は、マグネット駆動ローラと磁性体従動ローラとからなっている。マグネット駆動ローラの磁力で磁性体従動ローラが吸着されて用紙の搬送力を生じさせている。
【先行技術文献】
【特許文献】
【０００７】
【特許文献１】特許２６８３３１６号公報
【特許文献２】特開２０００−１８４６９１号公報
【特許文献３】特開平６−１９９４４４号公報
【特許文献４】特開平５−３０６０３６号公報
【特許文献５】特開２００４−１４２８８６号公報
【発明の概要】
【発明が解決しようとする課題】
【０００８】
本発明の目的は、駆動ロールの回転を従動ロールに伝達する構成において、駆動ロールと従動ロールとの平行度を高めることができる技術を提供することにある。
【課題を解決するための手段】
【０００９】
請求項１に記載の発明は、永久磁石により形成された駆動ロールと、前記駆動ロールが回転するのに伴って磁力により回転する、永久磁石により形成された従動ロールとを備え、前記駆動ロールおよび前記従動ロールは、永久磁石のＮ極とＳ極のそれぞれが前記駆動ロールおよび前記従動ロールの軸方向に延びて、かつ前記駆動ロールおよび前記従動ロールの円周上に一定の周長で着磁されていることを特徴とするロール機構である。
【００１０】
請求項２に記載の発明は、請求項１に記載の発明において、前記駆動ロールまたは前記従動ロールの両端に、前記駆動ロールまたは前記従動ロールを支持する支持部と摺動するキャップが取り付けられていることを特徴とする。
【００１１】
請求項３に記載の発明は、請求項１または２に記載のロール機構を備え、前記駆動ロールおよび前記従動ロールは、少なくともシート材を搬送する範囲で着磁されていることを特徴とする搬送装置である。
【００１２】
請求項４に記載の発明は、請求項１または２に記載のロール機構を備えることを特徴とする駆動装置である。
【発明の効果】
【００１３】
請求項１に記載の発明によれば、駆動ロールの回転を従動ロールに伝達する構成において、駆動ロールと従動ロールとの平行度を高めることができる。
【００１４】
請求項２に記載の発明によれば、経時的劣化が起こりやすいキャップのみを交換すれば、駆動ロールおよび従動ロールを使用し続けることができる。
【００１５】
請求項３に記載の発明によれば、シート材が搬送方向に対して傾いて搬送されるなどの搬送不良が発生するのを防止することができる。
【００１６】
請求項４に記載の発明によれば、駆動ロールまたは従動ロールの回転不良などによる動力の伝達不良が発生するのを防止することができる。
【図面の簡単な説明】
【００１７】
【図１】カラープリンタを示す概略構成図である。
【図２】搬送ロール対を示す斜視図である。
【図３】駆動装置を示す斜視図である。
【図４】駆動モータおよびギアヘッドを取り外した状態の駆動装置を示す斜視図である。
【図５】駆動装置を示す正面図である。
【図６】従動ロールを示す斜視図である。
【図７】図５におけるＶＩＩ−ＶＩＩ断面図である。
【図８】駆動装置の変形例を示す斜視図である。
【図９】第２の実施形態にかかる駆動装置を示す上面図である。
【発明を実施するための形態】
【００１８】
（カラープリンタの構成）
以下、カラープリンタの一実施形態について図面を参照して説明する。図１は、カラープリンタを示す概略構成図である。図１において、符号１は、カラープリンタである。カラープリンタ１は、画像形成ユニット１０Ｃ，１０Ｍ，１０Ｙ，１０Ｋ、制御部２０、一次転写装置２００、給紙装置３００、二次転写装置４００、定着装置５００、ロール機構の一例である駆動装置６００および搬送装置７００で概略構成されている。カラープリンタ１は、シアン（Ｃ）、マゼンタ（Ｍ）、イエロー（Ｙ）、ブラック（Ｋ）の４色の色成分の重ね合わせた画像を用紙Ｐに印刷する。なお、シート材の一例としては用紙Ｐであり、シート材のその他の例としてはＯＨＰフィルムや厚紙などがある。
【００１９】
カラープリンタ１には、Ｃ，Ｍ，Ｙ，Ｋの各色ごとに、画像形成ユニット１０Ｃ，１０Ｍ，１０Ｙ，１０Ｋが、一次転写装置２００に沿って予め定められた間隔をおいて横並びに配列されている。カラープリンタ１は、ＰＣ（Ｐｅｒｓｏｎａｌ  Ｃｏｍｐｕｔｅｒ）や画像読取装置等の図示省略した画像出力装置から予め定められた通信回線を経て画像データが制御部２０に供給される。
【００２０】
制御部２０は、供給された画像データに基づき、各画像形成ユニット１０Ｃ，１０Ｍ，１０Ｙ，１０Ｋに画像形成の制御指令を発する。また、制御部２０はこの画像形成動作を含めて、カラープリンタ１全体の動作を制御する。
【００２１】
画像形成ユニット１０Ｃ，１０Ｍ，１０Ｙ，１０Ｋは同一構成であり、制御部２０から供給される画像データに応じてレーザ光を走査するレーザ光走査装置１１と、このレーザ光走査装置１１の下方に配置され、レーザ光走査装置１１で走査されたレーザ光により静電潜像が形成される現像装置１００とを有している。レーザ光走査装置１１は、各色の画像データに応じて変調したレーザ光を偏向走査して、現像装置１００の感光体ドラム１１０に照射する。
【００２２】
図３は、駆動装置を示す斜視図である。現像装置１００は、レーザ光走査装置１１からレーザ光の照射を受ける感光体ドラム１１０を有している。この感光体ドラム１１０は、図３に示す駆動装置６００により駆動されて、矢印Ａ方向に回転する。感光体ドラム１１０の周囲には、感光体ドラム１１０の表面を掃除するクリーニング装置１２０と、感光体ドラム１１０の表面を帯電する帯電器１３０と、感光体ドラム１１０の表面に形成された静電潜像を現像する現像器１４０が、この順で矢印Ａ方向に沿って設けられている。
【００２３】
この現像装置１００によると、回転する感光体ドラム１１０が帯電器１３０により帯電され、その表面に、レーザ光走査装置１１からレーザ光が照射され、これによって各色の画像データに応じた静電潜像が形成される。次に、静電潜像が現像器１４０を通過することにより現像器１４０から感光体ドラム１１０の表面にトナーが供給され、その表面に、静電潜像のみにトナーが残ってトナー像が現像される。
【００２４】
次に感光体ドラム１１０上のトナー像が、矢印Ｂ方向に循環回転している一次転写装置２００の転写ベルト２１０上に一次転写される。一次転写後、感光体ドラム１１０の表面にはトナーが残存する。その残存したトナーは、クリーニング装置１２０により感光体ドラム１１０の表面から掻き落とされる。
【００２５】
一次転写装置２００は、上記のように感光体ドラム１１０から転写ベルト２１０にトナー像を受けて一次転写のプロセスを担うものであり、各画像形成ユニット１０Ｃ，１０Ｍ，１０Ｙ，１０Ｋを通過することにより、転写ベルト２１０上には各色のトナー像が多重転写される。転写ベルト２１０は、駆動ロール２２０、従動ロール２３１，２３２、ステアリングロール２４０およびバックアップロール２５０に巻回されており、駆動ロール２２０によって予め定められた速度で矢印Ｂ方向に循環回転させられる。
【００２６】
転写ベルト２１０の内周側には、各画像形成ユニット１０Ｃ，１０Ｍ，１０Ｙ，１０Ｋの感光体ドラム１１０との間に転写ベルト２１０を挟み、感光体ドラム１１０と連れ回りする一次転写ロール２６０が回転自在に設けられている。転写ベルト２１０を挟んで従動ロール２３２と対向する位置には、転写ベルト２１０の表面を掃除するベルトクリーナ２７０が設けられている。ベルトクリーナ２７０は、転写ベルト２１０の表面に残存したトナーを掻き落とす。
【００２７】
給紙装置３００は、カラープリンタ１の底側に設けられている。給紙装置３００は、用紙Ｐが積載される給紙保管部３１０と、給紙保管部３１０から１枚の用紙Ｐを引き出す抽出ロール３２０とを備えている。給紙装置３００は、給紙保管部３１０から１枚の用紙Ｐを引き出し、用紙Ｐを搬送装置７００に供給する。
【００２８】
搬送装置７００は、給紙装置３００と二次転写装置４００との間に設けられている。搬送装置７００は、二次転写装置４００に向けて間隔をおいて設けられたロール機構の一例である搬送ロール対７１０と、用紙Ｐの搬送方向先端を揃え、かつ、予め定められたタイミングで二次転写装置４００に送り込むレジストロール対７２０とを備えており、給紙保管部３１０から二次転写装置４００にわたって、用紙搬送路７３０が形成されている。
【００２９】
二次転写装置４００は、バックアップロール２５０との間に転写ベルト２１０を挟み、バックアップロール２５０との間に転写圧を発生させながら連れ回りする二次転写ロール４１０を備えている。二次転写装置４００においては、給紙保管部３１０から用紙搬送路７３０を搬送された用紙Ｐが、転写ベルト２１０上のトナー像とタイミングを合わせて転写ベルト２１０と二次転写ロール４１０との間に挿入され、用紙Ｐ上にトナー像が二次転写される。二次転写された用紙Ｐは、搬送ベルト４２０により定着装置５００に送られる。
【００３０】
定着装置５００は、用紙Ｐの搬送方向において二次転写装置４００の下流側に設けられている。定着装置５００は、加圧装置５２０と加熱装置５３０との間に用紙Ｐを加熱しながら挟んで搬送することにより、用紙Ｐ上に二次転写像を定着させる。
【００３１】
（搬送ロール対の構成）
次に、搬送装置７００の搬送ロール対７１０について図面を参照して説明する。図２は、搬送ロール対を示す斜視図である。搬送ロール対７１０は、図２に示すように、駆動ロール７１１と、従動ロール７１２とを有している。駆動ロール７１１は、従動ロール７１２の磁力が届く範囲で、かつ従動ロール７１２に対向する位置に設けられている。駆動ロール７１１および従動ロール７１２は、フェライト磁石などの永久磁石により、同じ半径となるように円柱状に形成されている。
【００３２】
駆動ロール７１１および従動ロール７１２は、永久磁石のＮ極とＳ極のそれぞれが駆動ロール７１１および従動ロール７１２の軸方向に延びて、少なくとも用紙Ｐを搬送する範囲で着磁されている。具体的には、駆動ロール７１１および従動ロール７１２は、駆動ロール７１１および従動ロール７１２の全体に着磁されている。
【００３３】
なお、用紙Ｐを搬送する範囲とは、駆動ロール７１１および従動ロール７１２の表面に被覆されるゴムなどの被覆部材を介して、駆動ロール７１１および従動ロール７１２が用紙Ｐと接触する範囲をいう。
【００３４】
また、駆動ロール７１１および従動ロール７１２は、駆動ロール７１１および従動ロール７１２の円周上に一定の周長で着磁されている。具体的には、駆動ロール７１１および従動ロール７１２は、円周方向において一定の周長となるように８分割にされ、永久磁石のＮ極とＳ極が交互に着磁されている。
【００３５】
駆動ロール７１１は、図示省略したモータにより反時計回り（図２の矢印Ｃ方向）に回転する。従動ロール７１２は、駆動ロール７１１が反時計回り（図２の矢印Ｃ方向）に回転するのに伴って、磁力により時計回り（図２の矢印Ｄ方向）に回転する。搬送ロール対７１０は、駆動ロール７１１および従動ロール７１２のそれぞれの磁力によって用紙Ｐを挟む圧力となる接触圧が発生し、駆動ロール７１１と従動ロール７１２とで用紙Ｐを挟む。そして、搬送ロール対７１０は、駆動ロール７１１および従動ロール７１２が回転することにより、挟んだ用紙Ｐを搬送する。
【００３６】
なお、駆動ロール７１１および従動ロール７１２を円周方向において同じような周長となるように８分割にする場合に限らず、偶数の分割であれば、４分割や１０分割などにしてもよい。Ｎ極とＳ極の周長となる着磁パターンを粗密にすることで、従動ロール７１２の速度変更が可能となる。また、駆動ロール７１１および従動ロール７１２を同じ半径となるように形成する場合に限らず、Ｎ極およびＳ極の周長を駆動ロール７１１と従動ロール７１２とで同じになるように形成すれば、駆動ロール７１１と従動ロール７１２との半径が異なるように形成してもよい。
【００３７】
また、駆動ロール７１１および従動ロール７１２は、キャップ６３２，６４２を介して支持される構成としてもよいし、駆動ロール７１１および従動ロール７１２の回転軸により支持される構成としてもよい。
【００３８】
（駆動装置の構成）
次に、駆動装置６００について図面を参照して説明する。駆動装置６００は、図３に示すように、フレーム５の内側に設けられた感光体ドラム１１０を駆動する。ここで、感光体ドラム１１０は、回転軸１１１を有している。感光体ドラム１１０は、回転軸１１１の両端に設けられたボールベアリング１１２を介してフレーム５の切り欠き５１に回転自在に支持されている。感光体ドラム１１０の回転軸１１１の一端部には、駆動ロール７１１および従動ロール７１２と同じように着磁された永久磁石により円筒状に形成されたロール１１３が固定されている。ロール１１３には、キャップ６３２，６４２と同じ構成のキャップ６５０が取り付けられている。
【００３９】
駆動装置６００は、図３に示すように、駆動モータ６１０と、ギアヘッド６２０と、駆動ロール６３０と、従動ロール６４０とで概略構成されている。駆動モータ６１０およびギアヘッド６２０は、図３に示すように、フレーム５の外側に設けられている。ギアヘッド６２０は、遊星歯車機構であり、駆動モータ６１０が発生させた動力を駆動ロール６３０に伝達する。
【００４０】
図４は駆動モータおよびギアヘッドを取り外した状態の駆動装置を示す斜視図であり、図５は、駆動装置を示す正面図である。従動ロール６４０は、図４および図５に示すように、駆動ロール６３０およびロール１１３と磁力の及ぶ範囲内で予め定められた隙間を有するように、キャップ６４２を介してフレーム５の支持部５２に回転自在に支持されている。そのため、従動ロール６４０は、駆動ロール６３０またはロール１１３と接触せず、摩耗しないようになっている。
【００４１】
図６は、従動ロールを示す斜視図である。従動ロール６４０は、図６に示すように、柱状体６４１と、キャップ６４２とを備えている。柱状体６４１は、駆動ロール７１１および従動ロール７１２と同じように着磁された永久磁石により円柱状に形成されている。柱状体６４１は、駆動ロール７１１および従動ロール７１２に比べて、短く形成されている。
【００４２】
図７は、図５におけるＶＩＩ−ＶＩＩ断面図である。キャップ６４２は、図７に示すように、従動ロール６４０の両端に交換可能に取り付けられている。キャップ６４２はポリアセタール（ＰＯＭ）などの樹脂により有底円筒状に形成されている。従動ロール６４０は、キャップ６４２の外周面が支持部５２の内周面と摺接することにより、支持部５２に回転自在に支持されている。つまり、キャップ６４２は、ベアリングとして機能する。そのため、従動ロール６４０の柱状体６４１が支持部５２と接触せず、摩耗しないようになっている。
【００４３】
駆動ロール６３０は、キャップ６３２に孔部６３２ａを有している点を除いては、従動ロール６４０と同じ構成である。駆動ロール６３０は、キャップ６３２を介してフレーム５の円筒状の支持部５２に回転自在に支持されている。駆動ロール６３０のギアヘッド６２０側のキャップ６３２には、図４および図５に示すように、キャップ６３２の底の中央部分に、ギアヘッド６２０の図示省略した軸と接続するための孔部６３２ａが形成されている。つまり、駆動ロール６３０は、キャップ６３２を介してギアヘッド６２０に接続されている。
【００４４】
図８は、駆動装置の変形例を示す斜視図である。駆動モータ６１０およびギアヘッド６２０などの駆動手段をフレーム５の外側に設ける場合に限らず、図８に示すように、図示省略した駆動手段をフレーム５の内側に設けて、フレーム５の支持部５２の外側に蓋６６０をしてもよい。
【００４５】
（カラープリンタの動作）
次に、カラープリンタ１の動作について説明する。カラープリンタ１は、それぞれの感光体ドラム１１０の表面に形成されたＣ，Ｍ，Ｙ，Ｋの各色のトナー像を転写ベルト２１０に順次一次転写する。次いで、カラープリンタ１は、二次転写装置４００によって転写ベルト２１０上の一次転写像を給紙装置３００から搬送された用紙Ｐに二次転写する。そして、カラープリンタ１は、用紙Ｐを定着装置５００に送り、二次転写像を用紙Ｐに定着させ、用紙Ｐを図示省略した排出部に排出する。
【００４６】
（搬送ロール対の動作）
次に、搬送ロール対７１０の動作について説明する。搬送ロール対７１０は、駆動ロール７１１が図示省略したモータにより反時計回り（図２の矢印Ｃ方向）に回転すると、従動ロール７１２が、磁力により時計回り（図２の矢印Ｄ方向）に回転する。そして、搬送された用紙Ｐを、磁力によって駆動ロール７１１と従動ロール７１２とで挟み、駆動ロール７１１が回転するのに伴って従動ロール７１２が回転することにより、挟んだ用紙Ｐを搬送する。
【００４７】
（駆動装置の動作）
次に、駆動装置の動作について説明する。駆動装置６００は、ギアヘッド６２０を介して駆動モータ６１０により駆動ロール６３０が回転し、駆動ロール６３０が回転するのに伴って従動ロール６４０が磁力により回転する。従動ロール６４０が回転すると、従動ロール６４０が回転するのに伴ってロール１１３を磁力により回転させて、感光体ドラム１１０を回転させる。
【００４８】
（搬送ロール対の優位性）
搬送ロール対７１０によれば、永久磁石のＮ極とＳ極のそれぞれが駆動ロール７１１および従動ロール７１２の軸方向に延びて、かつ駆動ロール７１１および従動ロール７１２の円周上に一定の周長で着磁されているため、駆動ロール７１１および従動ロール７１２のそれぞれの磁力により、駆動ロール７１１に対して従動ロール７１２が傾くのを防止して、駆動ロール７１１と従動ロール７１２との平行度が高められる。
【００４９】
また、搬送ロール対７１０によれば、さらに少なくとも用紙Ｐを搬送する範囲で着磁されているため、少なくとも用紙Ｐを搬送する範囲で、駆動ロール７１１と従動ロール７１２との平行度が高められる。また、少なくとも用紙Ｐを搬送する範囲で、駆動ロール７１１と従動ロール７１２との接触圧が均一になるように保持される。そのため、用紙Ｐが搬送方向に対して傾いて搬送されるなどの搬送不良が発生するのを防止する。また、駆動ロール７１１と従動ロール７１２との平行度を出すための駆動ロール７１１および従動ロール７１２の取付位置や成形の精度を考慮する必要性が低減される。
【００５０】
さらに、搬送ロール対７１０によれば、スプリングなどにより搬送ロール対の接触圧を発生させていた従来の搬送装置に比べて、搬送ロール対７１０は磁力により接触圧を発生させるため、接触圧を保持するためのスプリングが不要となる。また、スプリングが不要となるので、上記従来の搬送装置では設置できないような狭い場所にも搬送ロール対７１０を設置することが可能となる。
【００５１】
（駆動装置の優位性）
駆動装置６００によれば、駆動ロール６３０および従動ロール６４０のそれぞれの磁力により、駆動ロール６３０に対して従動ロール６４０が傾くのを防止して、駆動ロール６３０と従動ロール６４０との平行度が高められる。そのため、駆動ロール６３０または従動ロール６４０の回転不良などによる動力の伝達不良が発生するのを防止する。
【００５２】
また、駆動装置６００によれば、キャップ６３２，６４２が駆動ロール６３０および従動ロール６４０の両端に取り付けられているため、駆動ロール６３０または従動ロール６４０が回転した場合、キャップ６３２，６４２が支持部５２上を摺動する。そのため、摩耗するという経時的劣化が起こりやすいキャップ６３２，６４２のみを交換すれば、駆動ロール６３０および従動ロール６４０を再利用などして使用し続けることが可能となる。
【００５３】
（２）第２の実施形態
第２の実施形態は、上記第１の実施形態の駆動装置を変更したものである。したがって、主に駆動装置について説明し、第１の実施形態と同様な構成の説明は省略する。図９は、第２の実施形態にかかる駆動装置を示す上面図である。
【００５４】
駆動装置８００は、図９に示すように、支持部の一例であるハウジング６と、駆動ロール８３０と、従動ロール８４０とで概略構成されている。ハウジング６は、箱状に形成されている。駆動ロール６３０および従動ロール６４０は、ハウジング６の内側に設けられている。駆動ロール８３０および従動ロール８４０は、キャップ８３２，８４２を介してハウジング６に回転自在に支持されている。なお、従動ロール８４０は、駆動ロール８３０と同じ構成であるため説明を省略する。
【００５５】
駆動ロール８３０は、柱状体８３１と、キャップ８３２とを備えている。キャップ８３２は、駆動ロール８３０の両端に交換可能に取り付けられている。一方側のキャップ８３２は、保持部８３２ａ、摺動部８３２ｂを有している。他方側のキャップ８３２は、保持部８３２ａおよび摺動部８３２ｂに加えて、軸８３２ｃを有している。
【００５６】
保持部８３２ａは、ハウジング６と接触して、駆動ロール６３０を保持するための部分である。保持部８３２ａは、駆動ロール６３０が回転するのに伴って、ハウジング６上を摺動する。
【００５７】
摺動部８３２ｂは、駆動ロール８３０側の摺動部８３２ｂと従動ロール８４０側の摺動部８４２ｂとが接触することにより、駆動ロール８３０と従動ロール８４０との距離を予め定めた距離に保つための部分である。摺動部８３２ｂは、駆動ロール８３０が回転するのに伴って、従動ロール８４０の摺動部８４２ｂと接触する。
【００５８】
軸８３２ｃは、駆動ロール８３０の他方側のキャップ８３２の外側で、かつキャップ８３２の底の中央部分に形成されている。軸８３２ｃは、ハウジング６の孔部６１からハウジング６の外側に突出している。駆動ロール８３０の軸８３２ｃは、駆動モータ６１０などの図示省略した駆動手段に接続されている。従動ロール８４０の軸８４２ｃは、感光体ドラム１１０などの図示省略した被駆動部材に接続されている。
【００５９】
駆動装置８００は、図示省略した駆動手段により駆動ロール８３０が回転し、駆動ロール８３０が回転するのに伴って従動ロール８４０が磁力により回転する。従動ロール８４０が回転すると、図示省略した被駆動部材を駆動させる。
【００６０】
第２の実施形態によれば、キャップ８３２，８４２が駆動ロール８３０および従動ロール８４０の軸の機能を兼ねることが可能となる。そのため、ロールの両側に固定した軸により保持や位置決めを行ってきた従来の駆動装置に比べて、摩耗するという経時的劣化が起こりやすいキャップ８３２，８４２のみを交換すれば、駆動ロール８３０および従動ロール８４０を再利用などして使用し続けることが可能となる。
【産業上の利用可能性】
【００６１】
本発明は、スキャナ機能、ＦＡＸ機能、複写機能またはこれらの機能を備えた画像形成装置、搬送装置および駆動装置などに利用することができる。
【符号の説明】
【００６２】
６…ハウジング、５２…支持部、６００…駆動装置、６３０…駆動ロール、６４０…従動ロール、６３２…キャップ、６４２…キャップ、７００…搬送装置、７１０…搬送ロール対、７１１…駆動ロール、７１２…従動ロール、８００…駆動装置、８３０…駆動ロール、８４０…従動ロール、８３２…キャップ、８４２…キャップ。
【図１】
2010208742.tif 000003
【図２】
2010208742.tif 000004
【図３】
2010208742.tif 000005
【図４】
2010208742.tif 000006
【図５】
2010208742.tif 000007
【図６】
2010208742.tif 000008
【図７】
2010208742.tif 000009
【図８】
2010208742.tif 000010
【図９】
2010208742.tif 000011